(57)【特許請求の範囲】
【請求項１】
複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける伝送制御方法において、
該送信装置は、
前記ＭＩＭＯ多重伝送を行なう場合、前記データブロックに対応し、前記ストリームデータ間で競合せず、且つ、前記ストリームデータの系列の識別をオフセット値によって行なう規則に従ったプロセス番号を付随させて当該データブロックを該受信装置へ送信し、
前記ＭＩＭＯダイバーシチ伝送を行なう場合、前記データブロックに対応し、且つ、前記ストリームデータの系列の識別を行なわない規則に従ったプロセス番号を付随させて当該データブロックを該受信装置へ送信し、
該受信装置は、
該送信装置からの受信データブロックに付随する前記プロセス番号に基づいて、同じプロセス番号が付随する既受信データブロックと再送データブロックとを再送合成処理することを特徴とする、無線通信システムにおける伝送制御方法。
【請求項２】
複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける該送信装置であって、
前記ストリームデータ毎に、プロセス番号を前記データブロックに付随させるデータブロック識別情報付随手段と、
前記プロセス番号を付随させたデータブロックを該受信装置へ送信する送信手段と、
前記ＭＩＭＯ多重伝送を行なう場合、前記データブロックに付随させる前記プロセス番号が、前記データブロックに対応し、前記ストリームデータ間で競合せず、且つ、前記ストリームデータの系列の識別をオフセット値によって行なう規則に従うよう該データブロック識別情報付随手段を制御し、前記ＭＩＭＯダイバーシチ伝送を行なう場合、前記データブロックに付随させる前記プロセス番号が、前記データブロックに対応し、且つ、前記ストリームデータの系列の識別を行なわない規則に従うよう該データブロック識別情報付随手段を制御する制御手段と、
前記プロセス番号を付加された、前記データブロックについての再送要求を該受信装置から受信すると、当該プロセス番号により識別されるデータブロックを該受信装置へ再送する再送制御手段とをそなえたことを特徴とする、無線通信システムにおける送信装置。
【請求項３】
複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける該受信装置であって、
前記ＭＩＭＯ多重伝送を行なう場合、該送信装置が、前記データブロックに対応し、前記ストリームデータ間で競合せず、且つ、前記ストリームデータの系列の識別をオフセット値によって行なう規則に従ったプロセス番号を付随させて送信したデータブロックを受信し、前記ＭＩＭＯダイバーシチ伝送を行なう場合、該送信装置が、前記データブロックに対応し、且つ、前記ストリームデータの系列の識別を行なわない規則に従ったプロセス番号を付随させて送信したデータブロックを受信する受信手段と、
該受信手段で受信した受信データブロックに付随するプロセス番号に基づいて、同じプロセス番号が付随する既受信データブロックと再送データブロックとを再送合成処理する再送合成手段とをそなえたことを特徴とする、無線通信システムにおける受信装置。
【請求項４】
複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける伝送制御方法において、
該送信装置は、
前記ＭＩＭＯ多重伝送を行なう場合、前記データブロックに対応し、前記ストリームデータ間で競合せず、且つ、前記ストリームデータの系列の識別をオフセット値によって行なう規則に従ったプロセス番号を付随させて当該データブロックを該受信装置へ送信し、
前記ＭＩＭＯダイバーシチ伝送を行なう場合、前記規則には従わずに、前記データブロックに対応するプロセス番号を付随させて当該データブロックを該受信装置へ送信し、
該受信装置は、
該送信装置からの受信データブロックに付随する前記プロセス番号に基づいて、同じプロセス番号が付随する既受信データブロックと再送データブロックとを再送合成処理することを特徴とする、無線通信システムにおける伝送制御方法。
【請求項５】
複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける該送信装置であって、
前記ストリームデータ毎に、プロセス番号を前記データブロックに付随させるデータブロック識別情報付随手段と、
前記プロセス番号を付随させたデータブロックを該受信装置へ送信する送信手段と、
前記ＭＩＭＯ多重伝送を行なう場合、前記データブロックに付随させる前記プロセス番号が、前記データブロックに対応し、前記ストリームデータ間で競合せず、且つ、前記ストリームデータの系列の識別をオフセット値によって行なう規則に従うよう該データブロック識別情報付随手段を制御し、前記ＭＩＭＯダイバーシチ伝送を行なう場合、前記データブロックに付随させる前記プロセス番号が、前記規則には従わずに、前記データブロックに対応するよう該データブロック識別情報付随手段を制御する制御手段と、
前記プロセス番号を付加された、前記データブロックについての再送要求を該受信装置から受信すると、当該プロセス番号により識別されるデータブロックを該受信装置へ再送する再送制御手段とをそなえたことを特徴とする、無線通信システムにおける送信装置。
【請求項６】
複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける該受信装置であって、
前記ＭＩＭＯ多重伝送を行なう場合、該送信装置が、前記データブロックに対応し、前記ストリームデータ間で競合せず、且つ、前記ストリームデータの系列の識別をオフセット値によって行なう規則に従ったプロセス番号を付随させて送信したデータブロックを受信し、前記ＭＩＭＯダイバーシチ伝送を行なう場合、該送信装置が、前記規則には従わずに、前記データブロックに対応するプロセス番号を付随させて送信したデータブロックを受信する受信手段と、
該受信手段で受信した受信データブロックに付随するプロセス番号に基づいて、同じプロセス番号が付随する既受信データブロックと再送データブロックとを再送合成処理する再送合成手段とをそなえたことを特徴とする、無線通信システムにおける受信装置。
【発明の詳細な説明】
【技術分野】
【０００１】
本発明は、無線通信システムにおける伝送制御方法、送信装置及び受信装置に関し、特に、ＭＩＭＯ（Multi Input Multi Output）伝送における再送制御技術に用いて好適な技術に関する。
【背景技術】
【０００２】
携帯電話などの移動通信システムは、現在はＣＤＭＡ（Code Division Multiple Access）方式による第３世代方式がサービスを開始しているが、ＯＦＤＭＡ（Orthogonal Frequency Division Multiple Access）方式をベースとしてより高速な通信が可能となる次世代移動通信システムの検討が進められている（後記非特許文献１参照）。
【０００３】
そこで、伝送レートを高速化する技術としてＭＩＭＯが有力な技術として提案されてきている。図１９にＭＩＭＯ伝送システムの概要を示す。この図１９に示すＭＩＭＯ伝送システムは、複数の送信アンテナ（アンテナ系列）Tx#1，Tx#2，…，Tx#n（ｎは２以上の整数）を有する送信装置１００と、複数の受信アンテナ（アンテナ系列）Rx#1，Rx#2，…，Rx#nを有する受信装置２００とをそなえて構成され、各送信アンテナTx#i（ｉ＝１〜ｎ）から異なるデータストリームを並列に送信することにより、送信アンテナ数ｎに比例して伝送容量を増大させる空間多重伝送技術である。異なる送信アンテナTx#iは、お互いに無相関になるように配置され、各送信アンテナTx#iから送信されるデータストリームは、それぞれ独立のフェージング伝搬路を通り、他のデータストリームと空間で混ざり合った状態で受信アンテナRx#iで受信される。
【０００４】
このようなＭＩＭＯ伝送システムの実現例としては、例えば図２０に示すように、アンテナ毎に独立してストリーム処理を行なう方法がある。例えばプリコーディング（Precoding）を行なわないＰＡＲＣ（Per Antenna Rate Control）（後記非特許文献２参照）や、プリコーディングを行なうＰＳＲＣ（Per Stream Rate Control）（後記非特許文献３参照）などが挙げられる。
【０００５】
具体的に、この図２０に示すシステムは、例えば、送信装置１００として、ストリーム分離部１０１と、送信ストリーム毎のＣＲＣ付加部１０２，符号化部１０３及びＨＡＲＱ処理部１０４と、送信部１０５と、再送制御部１０６とをそなえて構成され、受信装置２００として、例えば、信号分離・合成部２０１と、受信ストリーム毎のＨＡＲＱ処理部２０２及びＣＲＣ演算部２０３と、ＡＣＫ／ＮＡＣＫ判定部２０４と、ストリーム合成部２０５とをそなえて構成されている。なお、ATRは送信装置１００の受信アンテナ、ATTは受信装置２００の送信アンテナをそれぞれ表しており、本例では、便宜上、ＡＣＫ／ＮＡＣＫ（Acknowledgement／Negative Acknowledgement）信号（確認応答信号）が送信アンテナATTから送信され受信アンテナATRにて受信されることを表している。
【０００６】
そして、送信装置（以下、送信側ともいう）１００は、例えば図２１に示すフローチャートに従って動作し、受信装置（以下、受信側ともいう）２００は、例えば図２２に示すフローチャートに従って動作する。
即ち、送信装置１００では、送信データが、ストリーム分離部１０１にて各アンテナ系列Tx#iの送信ストリームに分離され（ステップＡ１）、アンテナ系列Tx#iの送信ストリーム毎に、誤り検出のためのＣＲＣ（Cyclic Redundant Check）符号がＣＲＣ付加部１０２にて付加され（ステップＡ２）、ビット誤り訂正のためにデータストリームの符号化が符号化部１０３にて行なわれ、再送制御のためにＨＡＲＱ（Hybrid Automatic Repeat reQuest）処理がＨＡＲＱ処理部１０４にて行なわれ（ステップＡ４）、送信部１０５においてＨＡＲＱブロック（プロセス）を伝送する送信アンテナTx#iが選択され、変調された後、受信装置２００に送信される。ここで、プリコーディングを用いる場合（ステップＡ５でｙｅｓの場合）、各プロセスは複数の送信アンテナTx#iを選択できるが、ＰＡＲＣの場合（ステップＡ５でｎｏの場合）、予め定められた送信アンテナTx#iから送信される。
【０００７】
一方、受信装置２００では、図２２に示すように、送信装置１００から送信された信号が各受信アンテナRx#iで受信されると、信号分離・合成部２０１にて当該受信信号の分離・合成が行なわれ（ステップＢ１）、受信した信号（プロセス）が再送プロセスか否かを判定する（ステップＢ２）。その結果、再送プロセスであれば（ステップＢ２でｙｅｓであれば）、受信装置２００は、ＨＡＲＱ処理部２０２にて、今回受信した信号と前回受信して保持している同じプロセスの受信信号とを合成し（ステップＢ３）。ＣＲＣ演算部２０３にて、各プロセスに付加されたＣＲＣを検査することによりビット誤りを検出する（ステップＢ４）。なお、今回受信したプロセスが再送プロセスでない場合（ステップＢ２でｎｏの場合）は、ＨＡＲＱ処理部２０２による合成は行なわずに、ＣＲＣ演算部２０３によるビット誤り検出を行なう（ステップＢ４）。
【０００８】
そして、ＡＣＫ／ＮＡＣＫ判定部２０４にて、ビット誤りが検出された場合（ステップＢ５でｙｅｓの場合）には、受信プロセスを保持してＮＡＣＫ信号を送信アンテナATTにより送信装置１００へ返信し（ステップＢ６）、誤りが検出されなかった場合（ステップＢ５でｎｏの場合）にはＡＣＫ信号を送信アンテナATTにより送信装置１００へ返信してプロセスを上位層に渡す（ステップＢ７）。なお、誤りの検出されなかった各ストリームの受信信号は最終的にストリーム合成部２０５にて合成されて出力される。
【０００９】
このような一連の処理において、高速通信のために重要な機能はＨＡＲＱである。ＨＡＲＱは自動再送要求（ＡＲＱ）と誤り訂正符号化（ＦＥＣ：Forward Error Correction）を組み合わせたＡＲＱ方式である。具体的には、送信側１００では情報ビットのブロックに誤り検出用パリティビットを加えて誤り訂正符号化し、その全部又は一部を送信する。再送が生じた場合、現在のブロックに対する符号化ビットのうち、全部又は一部を再送する。
【００１０】
受信側２００では、再送ブロックのうち、それぞれ既存ブロックの対応するビットごとに合成処理を行ない、その結果得られた合成ブロックを用いて誤り訂正および誤り検出処理を再度行なう。このようにして受信側２００は、所定の上限回数の範囲でブロックの誤りがなくなるまで、送信側１００へのＡＣＫ／ＮＡＣＫ返信と再送による復号処理のトライアルとを繰り返す。
【００１１】
次世代移動体通信では、特にN-channel Stop-and-Wait ARQが適用される（後記非特許文献４参照）。ここで、Ｎは整数を表現しており、同時に送信できるブロック数（プロセス数）を表現している。同時に送信されたプロセスは、プロセス毎にStop and Waitによる再送制御が行なわれる。
図２３に、N-channel Stop-and-Wait ARQの概要を示す。
【００１２】
それぞれのプロセスは、無線伝送の単位区間（ＴＴＩ：Transmission Time Interval）で送信され、プロセス番号Ｎという識別子で識別される。この図２３ではプロセス数Ｎ＝５（０〜４）の場合を示しており、したがって、5-channel Stop-and-Wait ARQの場合に相当する。なお、図２３では、便宜上、各プロセスのデータ部に対してプロセス番号を付加して表現しているが、実際には、プロセス番号は制御チャネルで送信され、各プロセスのデータ部にプロセス番号が付加されることはない。即ち、プロセス番号は各プロセスのデータ部に付随して送信される（以下、同じ）。
【００１３】
受信装置２００が送信装置１００からプロセスを受信すると上述したごとく誤り検出を行なう。ここで、プロセス０〜４のうち、プロセス「１」，「３」，「４」に誤りが生じ、プロセス「０」，「２」には誤りが生じなかったとすると、誤りが生じなかったプロセス「０」，「２」に対しては、ＡＣＫ信号を送信装置１００に返信し、誤りが生じたプロセス「１」，「３」，「４」に対しては、メモリ（図示省略）にプロセスを保持した上でＮＡＣＫ信号を送信装置１００に返信する。ＡＣＫ／ＮＡＣＫ信号の返信も制御チャネルで送信されるが、この場合、プロセス番号は返信する必要はない。
【００１４】
受信装置２００は、各プロセスの返信時間タイミングを調整してＡＣＫ／ＮＡＣＫ信号を返信することにより、送信装置１００はどのプロセスに対するＡＣＫ／ＮＡＣＫ信号かを識別できる。送信装置１００がＡＣＫ信号を受信すると、新規プロセスの送信を行なうが、その際のプロセス番号は、プロセス番号を付加する時刻を含めて過去５プロセス内で使われていないプロセス番号を任意に付加してよい（図２３では、使われていないプロセス番号の昇順にプロセス番号を付加している）。
【００１５】
一方、送信装置１００がＮＡＣＫを受信すると、誤りが生じたプロセスの再送を行なうが、その際のプロセス番号は前回のプロセス番号と同じ番号を付加する。再送後、受信装置２００はプロセス番号を認識して、どのプロセスと合成すべきかを判定する。つまり、再送プロセスであるプロセス「１」，「３」，「４」を受信すると、前回のＮＡＣＫ信号送信時に保持していた同じプロセス番号をもつプロセス「１」，「２」，「３」とパケット合成をそれぞれ行なう。合成後、ＣＲＣを検査することにより、誤りなく受信できた場合にはＡＣＫを送信装置１００へ返信する。一方、誤りが生じた場合には、合成後のプロセスを保持し、再度、ＮＡＣＫ信号を送信装置１００へ返信する。
【００１６】
なお、合成の方法としては代表的な方法は２タイプあるが、本発明はどちらの合成方法を利用してもよい。１つは、再送時に以前の送信時とまったく同じデータを再送し、以前送信時の受信信号と再送時の受信信号とを合成して復号すべきデータの生成を行なうタイプのもので、もう１つは、再送時に符号化後のデータのパンクチャリングパターンを変更して今まで送信されなかったビットを送信して、以前送信時の受信信号と再送時の受信信号とを合成して等価的な符号化率を低くし、誤り訂正能力（符号化利得）を向上させるタイプのものである。後者の技術は、ＩＲ（Incremental Redundancy）と呼ばれている。
【００１７】
このようなプロセス処理は、前記のＰＡＲＣやプリコーディングの異同に関わらず、同じように行なわれる。そこで以降では、ＰＡＲＣを例に説明を続ける。
図２４に、送信装置１００および受信装置２００がＰＡＲＣに対応している場合のN-channel Stop-and-Wait ARQの様子を示す。
【００１８】
前述のように、ＰＡＲＣではＣＲＣ付加、符号化、ＨＡＲＱ処理はアンテナ毎に独立に行なわれるため、ＨＡＲＱプロセス番号も独立の番号が付加される。この図２４では、送信アンテナTx#1から送信されたプロセス「１」，「３」，「４」と、送信アンテナTx#2から送信されたプロセス「１」とに再送が生じている様子（点線矢印参照）を示している。このような場合、前述のようにＨＡＲＱはアンテナ系列毎に行なわれるため、各アンテナ系列について独立して再送制御が行なわれる。なお、プロセス番号の付加方法は図２３と同様の規則で付加する。
【００１９】
また、次世代移動体通信システムにおけるＭＩＭＯ伝送では、送信アンテナTx#i間で送信するデータ信号を分離・合成するために、送信装置１００は、アンテナ識別信号（例えば、パイロット信号や、スクランブリングコード）を送信する。
図２５に送信装置１００の送信アンテナが２本の場合のパイロット信号付加例を示す。この図２５の（１）及び（２）に示すように、パイロット信号（Ｒ：Reference Symbol）は、各アンテナ系列Tx#1，Tx#2間で、同じ時間系列かつ異なる周波数系列で付加される。受信装置２００は、パイロット信号を参照することにより、受信装置２００のアンテナ系列Rx#1では受信した信号からアンテナ系列Tx#1の信号を分離し、受信装置２００のアンテナ系列Rx#2では受信した信号からアンテナ系列Tx#2の信号を分離し、それぞれの信号を合成して送信されたストリーム（プロセス）を復元する。また、通常、アンテナ系列とパイロット信号との対応付けは報知情報で送信される。
【先行技術文献】
【非特許文献】
【００２０】
【非特許文献１】“3GPP TR25.913 V7.3.0 Requirements for Evolved UTRA (E-UTRA) and Evolved UTRAN (E-UTRAN) (Release 7)，”3GPP (France)，2006-03
【非特許文献２】Lucent，“Improving MIMO throughput with per-antenna rate control (PARC)，”3GPP (France)，2001-08
【非特許文献３】Lucent，“Per Stream Rate Control with Code Reuse TxAA and APP Decoding for HSDPA，”3GPP (France)，2002-09
【非特許文献４】“3GPP TR25.814 V7.4.0 Physical Layer Aspects for evolved Universal Terrestrial Radio Access (UTRA) (Release 7)，”3GPP (France)，2006-06
【発明の概要】
【発明が解決しようとする課題】
【００２１】
ＭＩＭＯ伝送システムが適用される通信環境としては、例えば図２６に示すようなセル構成が挙げられる。つまり、１つのセルを、ＭＩＭＯ伝送の形態によりエリアに分割した形態であり、図２６の（１）に示すように、移動局４００が基地局３００の内側のエリア（ＭＩＭＯ多重伝送エリア）３０２に在圏する場合は、ＭＩＭＯ多重伝送（図２６の（１）では２ストリームで送信）し、外側のエリア（非ＭＩＭＯ多重伝送エリア）３０３に在圏する場合は、非ＭＩＭＯ多重伝送（図２６の（１）では１ストリーム伝送）を行なう。なお、「非ＭＩＭＯ多重伝送」とは、例えば、ＭＩＭＯダイバーシチ伝送や１本のアンテナで１ストリームの送受信を行なうＭＩＭＯシングル伝送を意味する。
【００２２】
また、図２６の（２）に示すように、ＭＩＭＯ多重伝送エリア３０２内であっても、移動局４００が基地局３００の近傍エリア３０１に在圏し見通し内通信となる場合、あえて非ＭＩＭＯ多重伝送（図２６の（２）では１ストリーム伝送）を行なう場合もある。これは、見通し内通信の場合、アンテナ間相関が生じるため、受信装置２００において信号の分離・合成が困難となり高スループットを得られない可能性があるためである。
【００２３】
このような場合、基地局３００の近傍エリア３０１であってもＭＩＭＯ多重伝送ではなく、高変調度、高符号化率で非ＭＩＭＯ多重伝送を行なった方が高スループットを得られる可能性がある。
このように、ＭＩＭＯ多重伝送は１セル内で固定的に適用されるわけではなく、移動局４００の在圏位置によって、非ＭＩＭＯ多重伝送が適用される場合もある。例えば、移動局４００の無線品質（例えば、移動局４００が基地局３００に報告するＳＮ比の平均値）が或る閾値よりも大きい場合はＭＩＭＯ多重伝送を行ない、当該閾値よりも小さい場合は非ＭＩＭＯ多重伝送を行なう。
【００２４】
このとき、ストリーム数は、複数ストリームから１ストリームに減少するため、例えばＰＡＲＣのように、アンテナ系列毎に独立してプロセス番号を付加する方法では、ストリーム数が減少した場合にＨＡＲＱのプロセス番号が重複（競合）することにより、通信が継続できない可能性が生じる。
例えば図２７に、ＰＡＲＣにおいて、ＭＩＭＯ多重伝送からＭＩＭＯダイバーシチ伝送に切り替わった場合の動作例を示す。この例は、ＡＣＫ／ＮＡＣＫ信号が１ストリームで返信される場合を示している。
【００２５】
送信装置１００のアンテナ系列Tx#1およびアンテナ系列Tx#2から、図２７に示すようなタイミングでプロセス「０」，「１」，「２」が送信され、各アンテナ系列Tx#1，Tx#2から送信されたプロセス「０」，「１」に対するＡＣＫ信号が受信装置２００から送信装置１００に返信された後に、図２７中に符号５００で示すタイミングで、移動局４００の在圏位置が図２６に示すＭＩＭＯ多重伝送エリア３０２から、非ＭＩＭＯ多重伝送エリア（ＭＩＭＯダイバーシチ伝送エリア）３０１又は３０３に移動したとする。
【００２６】
このとき、流入するストリームの処理を行なう送信装置１００の主アンテナ系列をアンテナ系列Tx#2とすると、送信装置１００は、アンテナ系列Tx#1及びTx#2から、ＭＩＭＯダイバーシチ伝送に切り替わる前に蓄積されていたプロセス「２」を送信する。受信装置２００は、これらの信号をアンテナ系列Rx#1及びRx#2で受信して、信号の合成を行ない、プロセス「２」を構築する。続いて、受信装置２００は、前回送信時に保持していたプロセス「２」とのパケット合成を行なうことを試みるが、ここで次の課題が生じる。
【００２７】
（課題１）受信装置２００は、再送プロセス「２」が、保持していたどのプロセスと合成すべきか認識できない。即ち、例えば図２８に示すように、受信装置２００は、再送プロセス「２」をＭＩＭＯダイバーシチで受信するが、前述のように、パケット合成がプロセス番号だけを見て行なわれる場合、アンテナ系列Rx#1とアンテナ系列Rx#2とにそれぞれプロセス「２」が保持されているため、どのプロセスと合成するか判定できない。仮に、主アンテナ系列Rx#2に保持しているプロセス（符号６０１参照）との合成を試みる場合、アンテナ系列Rx#1のプロセス「２」（符号６０２参照）と、符号６０１で示すアンテナ系列Rx#2のプロセス「２」とをパケット合成してしまい、合成の整合性が崩壊する。
【００２８】
加えて、次の課題も生じる。
（課題２）送信装置１００において、下記のケース１，２に示すような誤再送が生じる。
（ケース１）ＡＣＫ／ＮＡＣＫ信号の返信が時間タイミング調整により行なわれる場合
この場合、ＡＣＫ／ＮＡＣＫの返信タイミング（返信時間や返信周波数）は、基地局が移動局に指示する。
【００２９】
図２９に概要を示す。受信装置２００は、主アンテナ系列Rx#2の時間タイミング調整によってＡＣＫ／ＮＡＣＫ信号を返信する。このとき、送信装置１００は、返信を主アンテナ系列Tx#2のタイミング情報によって受信する。この場合、図２９に示すように、送信装置１００が返信を受信したタイミングが、符号６０３で示すアンテナ系列Tx#2のプロセス「２」の再送タイミングと重なるため、本来はアンテナ系列Tx#1のプロセス「２」を再送するはずが、アンテナ系列Tx#2のプロセス「２」を誤再送する可能性がある。このとき、アンテナ系列Tx#1のプロセス「２」は再送できない。
【００３０】
（ケース２）ＡＣＫ／ＮＡＣＫ信号の返信が時間タイミング調整ではなくプロセス番号により行なわれる場合
このケースは、ＡＣＫ／ＮＡＣＫの返信は、タイミング調整を行なわずに実行する場合である。したがって、ケース１とは異なり、返信タイミング調整の指示は不要になるが、ＡＣＫ／ＮＡＣＫ返信時にプロセス番号を付加する必要がある。
【００３１】
図３０に概要を示す。受信装置２００は、主アンテナ系列Rx#2からプロセス番号を明示してＡＣＫ／ＮＡＣＫ信号を返信する。その際、アンテナ系列Tx#2によって返信を受信する。このとき、図３０に示すように、アンテナ系列Tx#1のプロセス「２」に対する返信を受信すると、送信装置１００は、アンテナ系列Tx#2のプロセス「２」に対するＮＡＣＫ信号だと誤解釈してしまう。よって、アンテナ系列Tx#1のプロセス「２」は再送できない。
【００３２】
このように、各アンテナ系列でプロセス番号の重複が生じると、受信装置２００では、どのアンテナ系列のプロセスどうしを合成するか判定できず、その一方で、送信装置１００では、プロセスの誤再送が生じ、本来再送すべきプロセスは再送できない、という課題が生じる。
【００３３】
また、確認応答（ＡＣＫ／ＮＡＣＫ信号）が受信装置２００から送信装置１００へ２ストリームで返信される場合も、上記課題と同様の課題が生じる。図３１及び図３２にその様子を示す。即ち、受信装置２００においては、図２８に示したように、再送プロセス「２」は、アンテナ系列Rx#1及びアンテナ系列Rx#2でそれぞれ保持しているどちらのプロセスと合成すべきか判定できない。また、送信装置１００においても、図２９及び図３０により上述したのと同様の課題が生じる。
【００３４】
つまり、ＭＩＭＯ多重伝送からＭＩＭＯダイバーシチ伝送に切り替わると、
（１）受信装置２００から返信される確認応答がアンテナ系列Rx#2から返信される場合は、図３１に示すように、ＡＣＫ／ＮＡＣＫ信号は受信装置２００の送信アンテナATT2から返信されるが、この場合、送信装置１００の動作は図２９及び図３０に示した場合と同様であるため、アンテナ系列Tx#2のプロセス「２」を誤再送してしまい、アンテナ系列Tx#1のプロセス「２」を再送できず、
（２）受信装置２００から返信される確認応答がＭＩＭＯダイバーシチで返信される場合は、図３２に示すように、ＡＣＫ／ＮＡＣＫ信号は送信アンテナATT1及びATT2から返信されるため、送信装置１００は受信アンテナATR1及びATR2で返信された信号をダイバーシチ受信するが、主アンテナ系列はアンテナ系列Tx#2であるため、最終的にこれらはアンテナ系列Tx#2に対する返信であると判定される。よって、アンテナ系列Tx#2のプロセス「２」を誤再送してしまい、アンテナ系列Tx#1のプロセス「２」は再送できない。
【００３５】
本発明は、以上のような課題に鑑み創案されたもので、ＭＩＭＯ多重伝送からＭＩＭＯダイバーシチ伝送に切り替わった場合のように、伝送ストリーム数が変化（減少）した場合でも、プロセス番号（つまり、ストリーム識別）の整合性を維持して、通信を正常に継続できるようにすることを目的とする。
【課題を解決するための手段】
【００３６】
（１）第１の案として、例えば、複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける伝送制御方法において、該送信装置は、前記ＭＩＭＯ多重伝送を行なう場合、前記データブロックに対応し、前記ストリームデータ間で競合せず、且つ、前記ストリームデータの系列の識別をオフセット値によって行なう規則に従ったプロセス番号を付随させて当該データブロックを該受信装置へ送信し、前記ＭＩＭＯダイバーシチ伝送を行なう場合、前記データブロックに対応し、且つ、前記ストリームデータの系列の識別を行なわない規則に従ったプロセス番号を付随させて当該データブロックを該受信装置へ送信し、該受信装置は、該送信装置からの受信データブロックに付随する前記プロセス番号に基づいて、同じプロセス番号が付随する既受信データブロックと再送データブロックとを再送合成処理する、無線通信システムにおける伝送制御方法を用いることができる。
【００３７】
（２）また、第２の案として、例えば、複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける該送信装置であって、前記ストリームデータ毎に、プロセス番号を前記データブロックに付随させるデータブロック識別情報付随手段と、前記プロセス番号を付随させたデータブロックを該受信装置へ送信する送信手段と、前記ＭＩＭＯ多重伝送を行なう場合、前記データブロックに付随させる前記プロセス番号が、前記データブロックに対応し、前記ストリームデータ間で競合せず、且つ、前記ストリームデータの系列の識別をオフセット値によって行なう規則に従うよう該データブロック識別情報付随手段を制御し、前記ＭＩＭＯダイバーシチ伝送を行なう場合、前記データブロックに付随させる前記プロセス番号が、前記データブロックに対応し、且つ、前記ストリームデータの系列の識別を行なわない規則に従うよう該データブロック識別情報付随手段を制御する制御手段と、前記プロセス番号を付加された、前記データブロックについての再送要求を該受信装置から受信すると、当該プロセス番号により識別されるデータブロックを該受信装置へ再送する再送制御手段とをそなえる、無線通信システムにおける送信装置を用いることができる。
【００３８】
（３）また、第３の案として、例えば、複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける該受信装置であって、前記ＭＩＭＯ多重伝送を行なう場合、該送信装置が、前記データブロックに対応し、前記ストリームデータ間で競合せず、且つ、前記ストリームデータの系列の識別をオフセット値によって行なう規則に従ったプロセス番号を付随させて送信したデータブロックを受信し、前記ＭＩＭＯダイバーシチ伝送を行なう場合、該送信装置が、前記データブロックに対応し、且つ、前記ストリームデータの系列の識別を行なわない規則に従ったプロセス番号を付随させて送信したデータブロックを受信する受信手段と、該受信手段で受信した受信データブロックに付随するプロセス番号に基づいて、同じプロセス番号が付随する既受信データブロックと再送データブロックとを再送合成処理する再送合成手段とをそなえる、無線通信システムにおける受信装置を用いることができる。
【００３９】
（４）また、第４の案として、例えば、複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける伝送制御方法において、該送信装置は、前記ＭＩＭＯ多重伝送を行なう場合、前記データブロックに対応し、前記ストリームデータ間で競合せず、且つ、前記ストリームデータの系列の識別をオフセット値によって行なう規則に従ったプロセス番号を付随させて当該データブロックを該受信装置へ送信し、前記ＭＩＭＯダイバーシチ伝送を行なう場合、前記規則には従わずに、前記データブロックに対応するプロセス番号を付随させて当該データブロックを該受信装置へ送信し、該受信装置は、該送信装置からの受信データブロックに付随する前記プロセス番号に基づいて、同じプロセス番号が付随する既受信データブロックと再送データブロックとを再送合成処理する、無線通信システムにおける伝送制御方法を用いることができる。
【００４０】
（５）また、第５の案として、例えば、複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける該送信装置であって、前記ストリームデータ毎に、プロセス番号を前記データブロックに付随させるデータブロック識別情報付随手段と、前記プロセス番号を付随させたデータブロックを該受信装置へ送信する送信手段と、前記ＭＩＭＯ多重伝送を行なう場合、前記データブロックに付随させる前記プロセス番号が、前記データブロックに対応し、前記ストリームデータ間で競合せず、且つ、前記ストリームデータの系列の識別をオフセット値によって行なう規則に従うよう該データブロック識別情報付随手段を制御し、前記ＭＩＭＯダイバーシチ伝送を行なう場合、前記データブロックに付随させる前記プロセス番号が、前記規則には従わずに、前記データブロックに対応するよう該データブロック識別情報付随手段を制御する制御手段と、前記プロセス番号を付加された、前記データブロックについての再送要求を該受信装置から受信すると、当該プロセス番号により識別されるデータブロックを該受信装置へ再送する再送制御手段とをそなえる、無線通信システムにおける送信装置を用いることができる。
【００４１】
（６）また、第６の案として、例えば、複数の送信アンテナを有する送信装置から受信装置へ複数の系列のストリームデータを伝送するＭＩＭＯ（Ｍｕｌｔｉ  Ｉｎｐｕｔ  Ｍｕｌｔｉ  Ｏｕｔｐｕｔ）多重伝送を行なう処理と、該ＭＩＭＯ多重伝送から切り替えて該送信装置から該受信装置へ１つの系列のストリームデータを伝送するＭＩＭＯダイバーシチ伝送を行なう処理と、該伝送時に系列毎にデータブロック単位で再送制御するＨＡＲＱ（Ｈｙｂｒｉｄ  Ａｕｔｏｍａｔｉｃ  Ｒｅｐｅａｔ  ｒｅＱｕｅｓｔ）処理と、を行なう、無線通信システムにおける該受信装置であって、前記ＭＩＭＯ多重伝送を行なう場合、該送信装置が、前記データブロックに対応し、前記ストリームデータ間で競合せず、且つ、前記ストリームデータの系列の識別をオフセット値によって行なう規則に従ったプロセス番号を付随させて送信したデータブロックを受信し、前記ＭＩＭＯダイバーシチ伝送を行なう場合、該送信装置が、前記規則には従わずに、前記データブロックに対応するプロセス番号を付随させて送信したデータブロックを受信する受信手段と、該受信手段で受信した受信データブロックに付随するプロセス番号に基づいて、同じプロセス番号が付随する既受信データブロックと再送データブロックとを再送合成処理する再送合成手段とをそなえる、無線通信システムにおける受信装置を用いることができる。
【発明の効果】
【００４２】
上記本発明によれば、少なくとも次のような効果ないし利点が得られる。
即ち、ＭＩＭＯ多重伝送から非ＭＩＭＯ多重伝送（ＭＩＭＯダイバーシチ伝送など）に伝送モードが切り替わった場合のように、送信装置と受信装置との間の伝送ストリーム数が変化（減少）した場合でも、伝送ストリーム間でデータブロック識別の競合が生じることがないため、データブロックの送信装置の誤再送及び受信装置での誤合成を回避することができる。したがって、送信装置と受信装置との間で正常な通信（ストリーム伝送）を継続することが可能となる。
【図面の簡単な説明】
【００４３】
【図１】本発明の第１実施形態に係るＭＩＭＯ伝送システムの構成を示すブロック図である。
【図２】図１に示すＭＩＭＯ伝送システムにおけるプロセス番号付加方法を説明すべくプロセス番号の一例を併せて示すブロック図である。
【図３】図１に示すＭＩＭＯ伝送システムにおける再送処理動作を説明するための図である。
【図４】図１に示すＭＩＭＯ伝送システムにおける送信装置の動作を説明するフローチャートである。
【図５】図１に示すＭＩＭＯ伝送システムにおけるＡＣＫ／ＮＡＣＫの返信方法（ケース１）を説明するための図である。
【図６】図１に示すＭＩＭＯ伝送システムにおける受信装置の動作（ケース１）を説明するフローチャートである。
【図７】図１に示すＭＩＭＯ伝送システムにおけるＡＣＫ／ＮＡＣＫの返信方法（ケース２）を説明するための図である。
【図８】図１に示すＭＩＭＯ伝送システムにおける受信装置の動作（ケース２）を説明するフローチャートである。
【図９】本発明の第２実施形態に係るＭＩＭＯ伝送システムの構成をプロセス番号の一例を併せて示すブロック図である。
【図１０】図９に示すＭＩＭＯ伝送システムにおける他のプロセス番号付加方法を説明すべくプロセス番号の一例を併せて示すブロック図である。
【図１１】図９に示すＭＩＭＯ伝送システムにおける再送処理動作を説明するための図である。
【図１２】図９に示すＭＩＭＯ伝送システムにおける送信装置の動作を説明するフローチャートである。
【図１３】図９に示すＭＩＭＯ伝送システムにおける受信装置の動作（ケース１）を説明するフローチャートである。
【図１４】図９に示すＭＩＭＯ伝送システムにおける受信装置の動作（ケース２）を説明するフローチャートである。
【図１５】本発明の第３実施形態に係るＭＩＭＯ伝送システムにおける再送処理動作を説明するための図である。
【図１６】第３実施形態に係るＭＩＭＯ伝送切り替え方法を説明するための図である。
【図１７】本発明の第４実施形態に係るＭＩＭＯ伝送切り替え方法を説明するための図である。
【図１８】第４実施形態に係るＭＩＭＯ伝送システムにおける再送処理動作を説明するための図である。
【図１９】ＭＩＭＯ伝送システムの概要図である。
【図２０】図１９に示すＭＩＭＯ伝送システムにおける送信装置及び受信装置の構成例を示すブロック図である。
【図２１】図２０に示すＭＩＭＯ伝送システムにおける送信装置の動作を説明するフローチャートである。
【図２２】図２０に示すＭＩＭＯ伝送システムにおける受信装置の動作を説明するフローチャートである。
【図２３】図２０に示すＭＩＭＯ伝送システムにおける再送合成処理を説明するための図である。
【図２４】図２０に示すＭＩＭＯ伝送システムにおける送信装置および受信装置がＰＡＲＣに対応している場合のN-channel Stop-and-Wait ARQの様子を示す図である。
【図２５】図２０に示すＭＩＭＯ伝送システムにおけるパイロット信号付加例を示す図である。
【図２６】ＭＩＭＯ伝送システムのセル構成例を示すブロック図である。
【図２７】ＰＡＲＣにおいてＭＩＭＯ多重伝送からＭＩＭＯダイバーシチ伝送に切り替わった場合の動作例を説明するための図である。
【図２８】従来技術の課題を説明するための図である。
【図２９】従来技術の課題を説明するための図である。
【図３０】従来技術の課題を説明するための図である。
【図３１】従来技術の課題を説明するための図である。
【図３２】従来技術の課題を説明するための図である。
【発明を実施するための形態】
【００４４】
以下、図面を参照して本発明の実施の形態を説明する。ただし、本発明は、以下の実施形態に限定されず、本発明の趣旨を逸脱しない範囲で種々変形して実施できることはいうまでもない。
〔Ａ〕第１実施形態の説明
図１は本発明の第１実施形態に係るＭＩＭＯ伝送システムの構成を示すブロック図で、この図１に示すＭＩＭＯ伝送システムは、複数の送信アンテナ（アンテナ系列）Tx#1，Tx#2，…，Tx#nを有する、少なくとも１台の送信装置１と、複数の受信アンテナ（アンテナ系列）Rx#1，Rx#2，…，Rx#nを有する、少なくとも１台の受信装置２とをそなえて構成される。なお、送信装置１は、例えば、基地局装置の送信系として適用でき、受信装置２は、移動局装置の受信系として適用することができる。また、本例では、送信アンテナ数と受信アンテナ数とを同数（ｎ）としているが、異なっていてもよい。
【００４５】
そして、送信装置１は、その要部に着目すると、例えば、ストリーム分離部１１と、送信ストリーム毎のＣＲＣ付加部１２，符号化部１３及びＨＡＲＱ送信処理部１４と、送信部１５と、再送制御部１６と、プロセス番号付加部１７とをそなえて構成され、受信装置２は、その要部に着目すると、例えば、信号分離・合成部２１と、受信ストリーム毎のＨＡＲＱ受信処理部２２及びＣＲＣ演算部２３と、ＡＣＫ／ＮＡＣＫ判定部２４と、ストリーム合成部２５と、プロセス番号振分部２６とをそなえて構成されている。なお、この図１においても、ATRは送信装置１の受信アンテナ、ATTは受信装置２の送信アンテナをそれぞれ表しており、説明の便宜上、確認応答（ＡＣＫ／ＮＡＣＫ信号）は、受信装置２の送信アンテナATTから１ストリームで送信されて送信装置１の受信アンテナATRにて受信されることを前提とする。
【００４６】
ここで、送信装置１において、ストリーム分離部１１は、送信データ信号を各アンテナ系列Tx#iの送信ストリームに分離するものであり、ＣＲＣ付加部１２は、それぞれ、前記送信ストリームに誤り検出のためのＣＲＣ符号を付加するものであり、符号化部１３は、それぞれ、当該ＣＲＣ符号の付加された送信ストリームをターボ符号や等の所要の誤り訂正符号に符号化するものである。
【００４７】
ＨＡＲＱ送信処理部１４は、それぞれ、送信ストリームをプロセス番号毎にＨＡＲＱ処理（ブロック化）して送信部１５へ転送するとともに、そのＨＡＲＱブロック（プロセス）を再送制御に備えて一時的に図示しないメモリに保持しておくものであり、送信部１５は、各ＨＡＲＱ送信処理部１４から入力されるプロセスについて、所要の変調方式（例えば、ＱＰＳＫや１６ＱＡＭ、６４ＱＡＭ等）による変調や、ＤＡ変換、無線周波数（ＲＦ）信号への周波数変換（アップコンバート）等を含む所要の無線送信処理を施して、いずれかの送信アンテナTx#iから受信装置２へ送信するものである。
【００４８】
再送制御部１６は、受信アンテナATRで受信された受信装置２からのＡＣＫ／ＮＡＣＫ信号により再送の要否を判断し、再送が必要であれば再送すべきアンテナ系列Tx#i及びプロセスを特定して、再送対象のアンテナ系列Tx#iに対応するＨＡＲＱ送信処理部１４の前記メモリから保持している該当プロセスを読み出して送信部１５へ転送するよう制御するものである。なお、再送すべきアンテナ系列Tx#i及びプロセスは、後述するように、例えば、既述のＡＣＫ／ＮＡＣＫ信号のタイミング調整、あるいは、ＡＣＫ／ＮＡＣＫ信号に対するプロセス番号の明示によって特定可能となる。
【００４９】
そして、プロセス番号付加部１７は、各ＨＡＲＱ送信処理部１４でのＨＡＲＱブロック（データブロック）毎にプロセス番号を付加するもので、本例では、（アンテナ識別子）＋（番号）というフォーマットを有する情報をプロセス番号としてＨＡＲＱ送信処理部１４に与えることにより、各アンテナ系列Tx#i間（各送信ストリーム間）で競合（重複）しない情報、つまりは送信ストリーム識別子を送信ストリームに付随させるようになっている。例えば図２に概念的に示すように、アンテナ系列Tx#1の送信ストリームに付随されるプロセス番号はビット列表現で“0...00xxx”、アンテナ系列Tx#2の送信ストリームに付随されるプロセス番号は“0...01yyy”、アンテナ系列Tx#nの送信ストリームに付随されるプロセス番号は“1...11zzz”とすることができる（ただし、ｘ、ｙ、ｚはそれぞれ０または１）。送信装置１は、このような独自のプロセス番号を付加して受信装置２に送信ストリームを受信装置２へ伝送する。
【００５０】
つまり、ＨＡＲＱ送信処理部１４は、それぞれ、複数のストリーム毎に、プロセス番号（データブロック識別情報）をプロセス（データブロック）に付随させるデータブロック識別情報付加手段としての機能を果たし、プロセス番号付加部１７は、前記プロセスに付随させるプロセス番号が各ストリーム間で競合しないようＨＡＲＱ送信処理部１４を制御する制御手段としての機能を果たしており、さらに、当該プロセス番号付加部１７は、ストリームの送信アンテナTx#iについてのアンテナ識別子を含む情報を、当該ストリームのプロセスに付随させるプロセス番号としてＨＡＲＱ送信処理部１４に与えるアンテナ識別子生成部としての機能も兼ね備えていることになる。
【００５１】
一方、受信装置２において、信号分離・合成部２１は、各送信アンテナTx#i（ｉ＝１〜ｎ）から送信され空間多重されて各受信アンテナRx#iで受信された信号を、プロセス振分部２６からの制御に基づき、プロセス別に分離してＭＩＭＯダイバーシチ時にはダイバーシチ合成処理を行なうことができるものであり、ＨＡＲＱ受信処理部２２は、この信号分離・合成部２１により得られた受信ストリーム（プロセス）を再送合成処理に備えてプロセス番号とともに記憶するとともに、記憶したプロセスと、送信装置１からの同じプロセス番号の再送プロセスとを合成するものである。
【００５２】
つまり、上記の信号分離・合成部２１は、送信装置１がストリーム毎に、ストリーム間で競合しないプロセス番号（アンテナ識別子を含む番号情報）を付随させて送信したプロセスを受信する受信手段としての機能を果たし、ＨＡＲＱ受信処理部２２は、この受信手段としての信号分離・合成部２１で受信した受信プロセスに付随されたプロセス番号に基づいて、同じプロセスを付随された既受信プロセスと再送プロセスとを再送合成処理する再送合成手段としての機能を果たすことになる。
【００５３】
ＣＲＣ演算部２３は、それぞれ、ＨＡＲＱ受信処理部２２により得られた受信ストリームについてＣＲＣ演算を施すことによりエラーチェックを行なうものでり、ＡＣＫ／ＮＡＣＫ判定部２４は、そのＣＲＣ演算結果に基づいて確認応答信号を生成して送信アンテナATTから送信装置１へ送信（フィードバック）するもので、具体的には、ＣＲＣ演算結果が正常（ＯＫ）を示す場合にＡＣＫ信号を、異常（ＮＧ）を示す場合にＮＡＣＫ信号を生成して送信装置１へフィードバックするようになっている。
【００５４】
ただし、本例のＡＣＫ／ＮＡＣＫ判定部２４は、後述するように、確認応答信号（ＡＣＫ／ＮＡＣＫ信号）に前記プロセス番号情報の一部（アンテナ識別子）又は全部（プロセス番号）を付加して送信装置１へ送信することができる。つまり、本例のＡＣＫ／ＮＡＣＫ判定部２４は、受信プロセスについての再送要求（ＮＡＣＫ信号）にアンテナ識別子又はプロセス番号を付加して送信装置１へ送信する再送要求送信手段としての機能を果たす。
【００５５】
ストリーム合成部２５は、各ＣＲＣ演算部２３によるＣＲＣ演算結果がＯＫとなったストリームを合成して受信データとして出力するものである。
そして、プロセス振分部２６は、受信プロセスのプロセス番号を識別して、そのプロセス番号に基づいて、当該受信プロセスを各ＨＡＲＱ受信処理部２２のいずれかに振り分けて入力するよう信号分離・合成部２１での信号分離及び合成処理を制御するものである。なお、当該プロセス番号識別のために、プロセス振分部２６には、プロセス番号付加部１７で用いるプロセス番号及びその付加方法に関する情報が図示しないメモリ等に予め記憶しておき、送信装置１と受信装置２とでプロセス番号の付加方法を共有しておく。
【００５６】
以下、上述のごとく構成された本実施形態のＭＩＭＯ伝送システムの動作について、図３〜図８を併用して説明する。
まず、送信装置１では、送信データがストリーム分離部１１にて各アンテナ系列Tx#iの送信ストリームに分離され、それぞれ、対応するＣＲＣ付加部１２にて、ＣＲＣ符号が付加された上で、符号化部１３にて、ターボ符号や等の所要の誤り訂正符号に符号化されてＨＡＲＱ送信処理部１４に入力される。
【００５７】
ＨＡＲＱ送信処理部１４では、それぞれ、符号化部１３から入力された送信ストリームをＨＡＲＱ処理（ブロック化）して、図２に示したように、プロセス番号付加部１７の制御の下、プロセス番号を付随させ、そのＨＡＲＱブロック（プロセス）を再送制御に備えて保持しておくとともに、送信部１５へ転送する。
【００５８】
これにより、送信部１５は、各ＨＡＲＱ送信処理部１４から入力されるプロセスについて、既述の無線送信処理を施して、いずれかの送信アンテナTx#iから受信装置２へ送信する。図３にその様子を概念的に示す。この図３は、送受のアンテナ系列がそれぞれｎ＝２である場合について示しており、アンテナ系列Tx#1，Tx#2の「アンテナ識別子」をそれぞれ“０”，“１”、ＨＡＲＱブロックの「番号」を０，１，２，…とし、アンテナ系列Tx#1から送信するプロセスには、「0-0」，「0-1」，「0-2」，…というプロセス番号が順次付随され、アンテナ系列Tx#2から送信するプロセスには、「1-0」，「1-1」，「1-2」，…というプロセス番号が順次付随されて受信装置２へ送信される（図３の紙面下方向へ向かう実線矢印参照）様子が示されている。
【００５９】
なお、送信装置１は、ＭＩＭＯ多重伝送からＭＩＭＯダイバーシチ伝送への切り替え（以下、伝送モード切替ということがある）が発生（図３の符号５００参照）した場合のように使用アンテナ系列数が減少した後でも、上記と同様にしてプロセス番号付加部１７による上記プロセス番号の付随方法を維持してストリーム送信を行なう。ここで、主アンテナ系列Tx#i以外のストリーム送信が終了した場合、前記アンテナ識別子は省略してプロセスの送受信を行なってもよい。ただし、「主アンテナ系列」とは、伝送モード切替前後で使用が維持されるアンテナ系列を意味し（以下、同じ）、図３の例ではアンテナ系列Tx#2である。
【００６０】
かかるオプションを含む送信装置１の動作フローチャートを図４に示す。即ち、送信装置１は、プロセス番号付加部１７で上述のごとくプロセス番号を付随させてストリーム送信を行ないつつ（ステップＳ１１）、伝送モード切替（ＭＩＭＯダイバーシチ伝送への変更）が発生したか否かを再送制御部１６で監視、判断し（ステップＳ１２）、伝送モード切替が未発生であれば（ステップＳ１２でｎｏであれば）、再送制御部１６は、そのままプロセス番号を付加したストリーム送信を継続するようプロセス番号付加部１７及びＨＡＲＱ送信処理部１４を制御する。
【００６１】
これに対し、伝送モード切替が発生していれば（ステップＳ１２でｙｅｓであれば）、再送制御部１６は、さらに、主アンテナ系列Tx#i以外に送信すべきデータ（プロセス）が存在しないか否かを判定し（ステップＳ１３）、存在すれば（ステップＳ１３でｎｏであれば）、上記ステップＳ１１と同様にしてプロセス番号付加部１７によりプロセス番号を付随させてストリーム送信を行なうようプロセス番号付加部１７及びＨＡＲＱ送信処理部１４を制御する（ステップＳ１４）。
【００６２】
一方、主アンテナ系列Tx#i以外に送信すべきデータ（プロセス）が存在しなければ（ステップＳ１３でｙｅｓであれば）、再送制御部１６は、前記プロセス番号の要素である前記アンテナ識別子を省略したプロセス番号を付随させてストリーム送信を行なうようプロセス番号付加部１７及びＨＡＲＱ送信処理部１４を制御する（ステップＳ１５）。
【００６３】
一方、受信装置２では、各受信アンテナRx#iで受信された信号が、信号分離・合成部２１にて、プロセス振分部２６からの制御に従ってプロセス別に分離されて各ＨＡＲＱ受信処理部２２のいずれかへ振り分けられる。
ＨＡＲＱ受信処理部２２では、それぞれ、この信号分離・合成部２１からの受信プロセスを再送合成処理に備えてプロセス番号とともに記憶しておき、記憶したプロセスと、送信装置１から再送されてくる同じプロセス番号の再送プロセスとを合成する（再送プロセスがない場合は、受信プロセスがそのまま出力される）。
【００６４】
次いで、ＨＡＲＱ受信処理部２２から出力された受信プロセスは、対応するＣＲＣ演算部２３にて、ＣＲＣ演算を施され、その演算結果に応じた確認応答信号（ＡＣＫ信号又はＮＡＣＫ信号）がＡＣＫ／ＮＡＣＫ判定部２４にて生成され、これが送信アンテナATT経由で送信装置１へフィードバックされる（図３の紙面上方向へ向かう矢印参照）。ただし、ＡＣＫ／ＮＡＣＫ判定部２４は、当該確認応答信号にアンテナ識別子又はプロセス番号を含める。
【００６５】
なお、上記ＣＲＣ演算結果が正常であったプロセスについてはストリーム合成部２５にて他の受信ストリームのプロセスと合成されて、正常に受信できたデータとして出力され、ＣＲＣ演算結果が異常であったプロセスについてはストリーム合成部２５には入力されずに破棄される。
さらに、送信装置１では、受信装置２から確認応答信号としてＡＣＫ信号を受信すれば新規プロセスを送信すべく、ＮＡＣＫ信号を受信すれば受信装置２で異常となったプロセスを再送すべく、プロセス番号付加部１７及びＨＡＲＱ送信処理部１４を制御する。なお、新規／再送すべきプロセスは、受信した確認応答信号に含まれるアンテナ識別子又はプロセス番号を基に特定される。
【００６６】
これにより、ＨＡＲＱ送信処理部１４は、プロセス再送時にも、前回送信時と同じプロセス番号のプロセスを再送し、受信装置２は、プロセス振分部２６による受信プロセス番号の識別、受信プロセスの振分制御によって、ＭＩＭＯ多重伝送からＭＩＭＯダイバーシチ伝送やＭＩＭＯシングル伝送等の非ＭＩＭＯ多重伝送に切り替わった時のように送信ストリーム数（送信アンテナ数）が変動したとしても、ＨＡＲＱ受信処理部２２にて正しいプロセスの合成を行なうことが可能となる。
【００６７】
例えば図３中に符号５００で示すタイミングでＭＩＭＯダイバーシチ伝送への切り替えが発生して送信アンテナ数が２→１（アンテナ系列Tx#2のみ）に減少した場合を考えると、受信装置２は、当該切り替え以後に送信装置２から、どのプロセス番号の再送プロセスを受信しても（図３の紙面下方向に向かう二重矢印参照）、プロセス振分部２６によって正しいプロセスの振り分けを行なって正しいプロセスの合成、即ち、同じプロセス番号どうしのプロセスの合成を行なうことができる。即ち、合成の整合性の崩壊を防ぐことができる（前記課題１を解決することができる）。
【００６８】
また、ＡＣＫ／ＮＡＣＫの返信方法を以下のケース１，２に示すように工夫することにより、前記課題２、即ち、送信装置１において、プロセスの誤再送が生じ、本来再送すべきプロセスは再送できないという課題も解決することができる。
（ケース１）ＡＣＫ／ＮＡＣＫ信号をタイミング調整により受信する場合（図５，図６）
図５に本ケース１での図３相当の概念図を示す。この図５に示すように、伝送モード切替（ＭＩＭＯダイバーシチ伝送への変更）が発生（符号５００参照）した後でも、受信装置２は、各アンテナ系列のアンテナ識別子を利用（付加）して確認応答信号（ＡＣＫ／ＮＡＣＫ信号）の返信を行なう。ここで、アンテナ識別子を「利用」するという意味は、明示的にアンテナ識別子を付加してＡＣＫ／ＮＡＣＫ信号を返信するのではなく、例えば、主アンテナ系列が１つに決まっていても、送信装置は各アンテナ系列のＡＣＫ／ＮＡＣＫ信号の周波数帯を受信装置に指示し、受信装置はその周波数帯を利用してＡＣＫ／ＮＡＣＫを返信するという意味である。よって、送信装置がＡＣＫ／ＮＡＣＫ信号を受信すると、その周波数帯を分析し、どのアンテナ系列に対するＡＣＫ／ＮＡＣＫか識別することができる。一方、アンテナ識別子を「付加」するという意味は、まさに図５に示したように、明示的にＡＣＫ／ＮＡＣＫ信号にアンテナ識別子を付加する、という意味である。
【００６９】
例えば図５において、伝送モード切替発生後に送信装置１のアンテナ系列Tx#1（主アンテナ系列はTx#2）から送信されたプロセス「0-2」に着目すると、受信装置２は、当該プロセス「0-2」に対する応答確認信号として当該受信プロセス「0-2」の番号要素（一部）であるアンテナ識別子「０」を付加した信号をＡＣＫ／ＮＡＣＫ判定部２４で生成して送信装置１へ返信する。
【００７０】
これにより、送信装置１は、受信装置２との間で少なくとも送信プロセスに対する確認応答信号の返信タイミングに関して同期がとれている（つまり、送信装置１が確認応答信号を受信装置２との間のタイミング調整により受信する）ことを前提として、再送制御部１６にて、上記確認応答信号がプロセス「0-2」に対するものであると認識することができ、プロセス「1-2」を誤再送することなく、プロセス「0-2」を主アンテナ系列Tx#2から正しく再送することが可能となる。
【００７１】
なお、送信装置１が、前述したごとくアンテナ識別子を省略してプロセスの送受信を行なうようになった場合（つまり、主アンテナ系列Tx#2以外のプロセスが全て伝送できた場合）、確認応答の返信はアンテナ識別子を省略して送信しても、タイミング調整が行なわれているため、送信装置１は、どのプロセスについての確認応答信号であるかを識別することができる。
【００７２】
図６に本ケース１での受信装置２の動作フローチャートを示す。
即ち、受信装置２は、伝送モード切替（ＭＩＭＯダイバーシチ伝送への変更）が発生したか否かを監視、判断し（ステップＳ２１）、伝送モード切替が発生していなければ（ステップＳ２１でｎｏであれば）、ＡＣＫ／ＮＡＣＫ判定部２４により、受信プロセスの番号要素であるアンテナ識別子を付加した確認応答信号を生成して送信装置１へ返信する。また、当該確認応答信号がＮＡＣＫ信号の場合には、ＨＡＲＱ受信処理部２２にて、再送合成に備えて受信プロセスを保持しておく（ステップＳ２２）。
【００７３】
一方、伝送モード切替が発生した場合（ステップＳ２１でｙｅｓの場合）、受信装置２は、プロセス振分部２６により、受信プロセスの分離（プロセス番号の識別）を行ない（ステップＳ２３）、アンテナ識別子が付随されているか否かを判定する（ステップＳ２４）。その結果、アンテナ識別子が付随されていれば（ステップＳ２４でｙｅｓであれば）、受信装置２は、上記ステップＳ２２の場合と同様に、受信プロセスの番号要素であるアンテナ識別子を付加した確認応答信号を生成して送信装置１へ返信するとともに、当該確認応答信号がＮＡＣＫ信号の場合には、ＨＡＲＱ受信処理部２２にて、再送合成に備えて受信プロセスを保持しておく（ステップＳ２５）。
【００７４】
これに対し、アンテナ識別子が付加されていない場合（ステップＳ２４でｎｏの場合）、受信装置２は、タイミング調整が行なわれているため、確認応答の返信はアンテナ識別子を省略して送信装置１へ返信するとともに、当該確認応答信号がＮＡＣＫ信号の場合には、ＨＡＲＱ受信処理部２２にて、再送合成に備えて受信プロセスを保持しておく（ステップＳ２６）。
【００７５】
このように、本ケース１では、伝送モード切替（ＭＩＭＯダイバーシチ伝送への変更）が発生して、各アンテナ系列Tx#i（Rx#i）間で各送信プロセスを識別する必要がある限り、確認応答信号に受信プロセス番号の情報要素であるアンテナ識別子のみを付加してその情報量を最小限に抑制しつつ送信装置１へ返信し、主アンテナ系列Tx#2以外のプロセスが全て伝送できて、各アンテナ系列Tx#i（Rx#i）間で各送信プロセスを識別する必要がなくなれば、当該アンテナ識別子の付随を省略するので、送信装置１と受信装置２との間の無線リソースの有効利用を図ることができる。
【００７６】
（ケース２）ＡＣＫ／ＮＡＣＫ信号を、プロセス番号を明示的に付加して返信する場合（図７，図８）
図７に本ケースでの図３，図５に相当する概念図を示す。この図７に示すように、伝送モード切替（ＭＩＭＯダイバーシチ伝送への変更）が発生（符号５００参照）した後でも、送信装置と受信装置との間でタイミング調整が取れていないため、受信装置２は、プロセス番号を明示的に付加してＡＣＫ／ＮＡＣＫを返信する。
【００７７】
例えば、本ケース２でも、図７において、伝送モード切替発生後に送信装置１のアンテナ系列Tx#1（主アンテナ系列はTx#2）から送信されたプロセス「0-2」に着目すると、受信装置２は、当該プロセス「0-2」に対する確認応答信号として当該受信プロセス「0-2」のプロセス番号を付加した信号をＡＣＫ／ＮＡＣＫ判定部２４で生成して送信装置１へ返信する。
【００７８】
これにより、送信装置１は、受信装置２との間で送信プロセスに対する確認応答信号の返信タイミングに関して同期がとれているかいないかに関わらず、再送制御部１６にて、上記確認応答信号がどのアンテナ系列Tx#iのどのプロセスに対する返信（本例では、プロセス「0-2」に対する返信）かを識別することができ、プロセス「1-2」を誤再送することなく、プロセス「0-2」を主アンテナ系列Tx#2から正しく再送することが可能となる。
【００７９】
図８に本ケース２での受信装置２の動作フローチャートを示す。
即ち、受信装置２は、伝送モード切替（ＭＩＭＯダイバーシチ伝送への変更）が発生したか否かを監視、判断し（ステップＳ３１）、伝送モード切替が発生していなければ（ステップＳ３１でｎｏであれば）、ＡＣＫ／ＮＡＣＫ判定部２４により、受信プロセス番号を付加した確認応答信号を生成して送信装置１へ返信する。また、当該確認応答信号がＮＡＣＫ信号の場合には、ＨＡＲＱ受信処理部２２にて、再送合成に備えて受信プロセスを保持しておく（ステップＳ３２）。
【００８０】
一方、伝送モード切替が発生した場合（ステップＳ３１でｙｅｓの場合）、受信装置２は、プロセス振分部２６により、受信プロセスの分離（プロセス番号の識別）を行ない（ステップＳ３３）、アンテナ識別子が付随されているか否かを判定する（ステップＳ３４）。その結果、アンテナ識別子が付随されていれば（ステップＳ３４でｙｅｓであれば）、受信装置２は、上記ステップＳ３２の場合と同様に、受信プロセス番号を付加して確認応答信号を送信装置１へ返信するとともに、当該確認応答信号がＮＡＣＫ信号の場合には、ＨＡＲＱ受信処理部２２にて、再送合成に備えて受信プロセスを保持しておく（ステップＳ３５）。
【００８１】
これに対し、アンテナ識別子が付随されていない場合（ステップＳ３４でｎｏの場合）、つまり、送信装置１が、主アンテナ系列Tx#i以外のプロセスが全て伝送できて、アンテナ識別子を省略してプロセスの送受信を行なうようになった場合、受信装置２は、アンテナ識別子の付加を省略できるので、アンテナ識別子を付加せずに、主アンテナ系列Tx#2の番号（アンテナ識別子を省略した従来方式と同様のプロセス番号）を利用して確認応答信号を送信装置１へ返信するとともに、当該確認応答信号がＮＡＣＫ信号の場合には、ＨＡＲＱ受信処理部２２にて、再送合成に備えて受信プロセスを保持しておく（ステップＳ３６）。
【００８２】
このように、本ケース２では、伝送モード切替（ＭＩＭＯダイバーシチ伝送への変更）が発生して、各アンテナ系列Tx#i（Rx#i）間で各送信プロセスを識別する必要がある限り、確認応答信号に受信プロセス番号を付加して送信装置１へ返信するので、受信装置２との間で送信プロセスに対する確認応答信号の返信タイミングに関して同期がとれていない場合であっても、送信装置１において再送すべきプロセスを正しく識別することができ、再送プロセスの誤再送を確実に抑制することができる。
【００８３】
また、本ケース２においても、主アンテナ系列Tx#2以外のプロセスが全て伝送できて、各アンテナ系列Tx#i（Rx#i）間で送信アンテナを識別する必要がなくなれば、当該送信アンテナの付加を省略するので、送信装置１と受信装置２との間の無線リソースの有効利用を図ることもできる。
〔Ｂ〕第２実施形態の説明
図９は本発明の第２実施形態に係るＭＩＭＯ伝送システムの構成を示す図２相当のブロック図で、この図９に示すＭＩＭＯ伝送システム（送信装置１及び受信装置２）は、図１及び図２に示した構成に比して、既述のプロセス番号付加部１７及びプロセス振分部２６に代えて、プロセス番号付加部１７Ａ及びプロセス振分部２６Ａをそなえて構成されている点が異なる。なお、その他の構成は図１及び図２により前述したものと同一若しくは同様であり、図９では図２と同様に、送信装置１の構成要素の一部（ストリーム分離部１１，ＣＲＣ演算部１２及び符号化部１３）、並びに、受信装置２の構成要素の一部（ＣＲＣ演算部２２及びストリーム合成部２５）の図示はそれぞれ省略している。
【００８４】
ここで、本例のプロセス番号付加部１７Ａは、ＨＡＲＱ送信処理部１４において得られるＨＡＲＱブロック（プロセス）に対して、プロセス番号をすべてのアンテナ系列Tx#i間で競合しないように独立して付加するもので、例えば、下記の（１）又は（２）に示す付加方法が考えられる。
【００８５】
（１）図９に示すように、アンテナ系列Tx#1からアンテナ系列Tx#nまで昇順（降順でもよい）に付加してゆき、最後のアンテナ系列Tx#nのストリームに対するプロセス番号まで決定すると、再び最初のアンテナ系列Tx#1から昇順にプロセス番号を付加してゆく方法。つまり、すべてのアンテナ系列Tx#iに対して繰り返し一連のプロセス番号を付加する方法。例えば、アンテナ系列Tx#1についてのプロセス番号はビット列で表現すると“...00000”となり、アンテナ系列Tx#nについてのプロセス番号は“...00111”となり、さらにアンテナ系列Tx#1の続くプロセス番号は“...01000”、アンテナ系列Tx#nの続くプロセス番号は“...01111”となる。
【００８６】
（２）図１０に示すように、アンテナ系列Tx#i毎に独立した（競合しない）一連のプロセス番号を昇順（降順でもよい）で付加してゆく方法。例えば、アンテナ系列Tx#1のプロセス番号は“...00000〜...00111”、アンテナ系列Tx#2のプロセス番号は“...01000〜...01111”、アンテナ系列Tx#3のプロセス番号は“...10000〜...11111”となる。
つまり、本例のプロセス番号付加部（制御手段）１７Ａは、第１実施形態と同様のストリーム間で競合しないプロセス番号の付加制御を実現すべく、一連の番号情報をストリーム毎にグループ分けし、当該ストリーム毎に、対応グループ内の番号情報を送信プロセスに付加すべきプロセス番号（データブロック識別情報）としてＨＡＲＱ送信処理部１４に与えるグループ別番号生成部としての機能を兼ね備えていることになる。
【００８７】
なお、上記（１）及び（２）のいずれの場合も第１実施形態と同様の課題を回避するために、送信装置１と受信装置２とでプロセス番号の付加方法を共有しておく必要がある。
即ち、当該プロセス番号識別のために、受信装置２のプロセス振分部２６Ａには、プロセス番号付加部１７Ａで用いるプロセス番号及びその付加方法に関する情報を図示しないメモリ等に予め記憶しておき、送信装置１と受信装置２との間でプロセス番号の付加方法を共有しておく。これにより、プロセス振分部２６Ａは、受信プロセスのプロセス番号を識別して、そのプロセス番号に基づいて、当該受信プロセスを各ＨＡＲＱ受信処理部２２のいずれかに振り分けて入力するよう信号分離・合成部２１での信号分離及び合成処理を制御することができる。
【００８８】
以下、上述のごとく構成された本実施形態のＭＩＭＯ伝送システムの動作について、図１１〜図１４を併用して説明する。
まず、送信装置１では、送信データがストリーム分離部１１にて各アンテナ系列Tx#iの送信ストリームに分離され、それぞれ、対応するＣＲＣ付加部１２にて、ＣＲＣ符号が付加された上で、符号化部１３にて、ターボ符号等の所要の誤り訂正符号に符号化されてＨＡＲＱ送信処理部１４に入力される。
【００８９】
ＨＡＲＱ送信処理部１４では、それぞれ、符号化部１３から入力された送信ストリームをＨＡＲＱ処理（ブロック化）して、図９又は図１０に示したように、プロセス番号付加部１７Ａから与えられる、アンテナ系列Tx#i間で競合しないプロセス番号を付加し（図１２のステップＳ４１）、そのＨＡＲＱブロック（プロセス）を再送制御に備えて保持しておくとともに、送信部１５へ転送する。
【００９０】
これにより、送信部１５は、各ＨＡＲＱ送信処理部１４から入力されるプロセスについて、既述の無線送信処理を施して、いずれかの送信アンテナTx#iから受信装置２へ送信する。図１１にその様子を概念的に示す。この図１１は、第１実施形態の図３に相当する図で、送受のアンテナ系列がそれぞれｎ＝２である場合で、かつ、図９に示した付加方法を適用した場合について示しており、アンテナ系列Tx#1から送信するプロセスには、「０」，「２」，「４」，…という偶数プロセス番号が順次付加され、アンテナ系列Tx#2から送信するプロセスには、アンテナ系列Tx#1についてのプロセス番号と独立して（競合しないように）、「１」，「３」，「５」，…という奇数プロセス番号が順次付加されて受信装置２へ送信される（図９の紙面下方向へ向かう実線矢印参照）様子が示されている。
【００９１】
なお、本実施形態においても、送信装置１は、伝送モード切替が発生（図１１の符号５００参照）した場合のように使用アンテナ系列数が減少した後でも、上記と同様にしてプロセス番号付加部１７Ａによる上記プロセス番号の付加方法を維持してストリーム送信を行なう。
【００９２】
受信装置２では、例えば図１１の場合、プロセス「４」及びプロセス「５」が受信され、プロセス振分部２６Ａにより、それぞれのプロセス番号が識別されて、正しいアンテナ系列Rx#iに振り分けることができる。したがって、伝送モード切替が発生したとしても、ＨＡＲＱ受信処理部２２にて、正しいプロセスの合成、即ち、同じプロセス番号どうしのプロセスの合成を行なうことができる。即ち、合成の整合性の崩壊を防ぐことができる（前記課題１を解決することができる）。
【００９３】
また、本実施形態においても、ＡＣＫ／ＮＡＣＫの返信方法を、第１実施形態と同様に、以下のケース１，２に示すように工夫することにより、前記課題２、即ち、送信装置１において、プロセスの誤再送が生じ、本来再送すべきプロセスは再送できないという課題も解決することができる。
（ケース１）ＡＣＫ／ＮＡＣＫ信号をタイミング調整により受信する場合（図１３）
受信装置２は、伝送モード切替（ＭＩＭＯダイバーシチ伝送への変更）が発生（図１１の符号５００参照）した後でも、第１実施形態１のように、各アンテナ系列のアンテナ識別子を利用（付加）して確認応答信号（ＡＣＫ／ＮＡＣＫ）の返信を行なう。ここで、アンテナ識別子を「利用」する、および「付加する」という意味は、第１実施形態と同様の意味である。
【００９４】
なお、ＭＩＭＯダイバーシチに切り替わった後、第１実施形態では、アンテナ識別子が付加されないプロセス番号が受信装置で受信されると、主アンテナ系列からのみプロセスが送信されようになったことを意味した。しかし、第２実施例では、受信されるプロセス番号にアンテナ識別子は付加されていないため、ある程度時間（Ｔ）が経過すれば、送信装置１は、主アンテナ系列（図１１の場合ではアンテナ系列Tx#2）からのみプロセスを送信するようになったとする。よって、Ｔ時間経過後、受信装置２は、確認応答の返信はアンテナ識別子を省略でき、主アンテナ系列のタイミング情報のみを利用して確認応答信号を送信装置１に返信することができる。
【００９５】
本ケース１での受信装置２の動作フローチャートを図１３に示す。
この図１３に示すように、受信装置２は、伝送モード切替（ＭＩＭＯダイバーシチ伝送への変更）が発生したか否かを監視、判断し（ステップＳ５１）、伝送モード切替が発生していなければ（ステップＳ５１でｎｏであれば）、ＡＣＫ／ＮＡＣＫ判定部２４により、アンテナ識別子を利用（付加）した確認応答信号を生成して送信装置１へ返信する。また、当該確認応答信号がＮＡＣＫ信号の場合には、ＨＡＲＱ受信処理部２２にて、再送合成に備えて受信プロセスを保持しておく（ステップＳ５２）。
【００９６】
一方、伝送モード切替が発生した場合（ステップＳ５１でｙｅｓの場合）、受信装置２は、プロセス振分部２６Ａにより、受信プロセスの分離（プロセス番号の識別）を行ない（ステップＳ５３）、Ｔ時間が経過しているか否かを判定する（ステップＳ５４）。その結果、Ｔ時間が経過していなければ（ステップＳ５４でｎｏであれば）、受信装置２は、上記ステップＳ５２の場合と同様に、アンテナ識別子を利用（付加）した確認応答信号を生成して送信装置１へ返信するとともに、当該確認応答信号がＮＡＣＫ信号の場合には、ＨＡＲＱ受信処理部２２にて、再送合成に備えて受信プロセスを保持しておく（ステップＳ５５）。
【００９７】
これに対し、Ｔ時間が経過していれば（ステップＳ５４でｙｅｓの場合）、受信装置２は、主アンテナ系列のタイミング情報を利用して確認応答信号を送信装置１へ返信するとともに、当該確認応答信号がＮＡＣＫ信号の場合には、ＨＡＲＱ受信処理部２２にて、再送合成に備えて受信プロセスを保持しておく（ステップＳ５６）。
【００９８】
このように、本ケース１においても、伝送モード切替（ＭＩＭＯダイバーシチ伝送への変更）が発生して、各アンテナ系列Tx#i（Rx#i）間で各送信プロセスを識別する必要がある限り、各アンテナ識別子を利用（付加）して確認応答信号を送信装置１返信し、主アンテナ系列Tx#2以外のプロセスが全て伝送できて、各アンテナ系列Tx#i（Rx#i）間で各送信プロセスを識別する必要がなくなれば、主アンテナ系列のタイミング情報のみを利用して確認応答が返信できるので、送信装置１と受信装置２との間の無線リソースの有効利用を図ることができる。
【００９９】
（ケース２）ＡＣＫ／ＮＡＣＫ信号を、プロセス番号を明示的に付加して返信する場合（図１４）
受信装置２は、伝送モード切替（ＭＩＭＯダイバーシチ伝送への変更）が発生（図１１の符号５００参照）した後でも、プロセス番号を明示的に付加してＡＣＫ／ＮＡＣＫを返信する。例えば図１１において、伝送モード切替発生後に送信装置１のアンテナ系列Tx#1（主アンテナ系列はTx#2）から送信されたプロセス「４」に着目すると、受信装置２は、当該プロセス「４」に対する応答確認信号として当該受信プロセス「４」のプロセス番号を付加した信号をＡＣＫ／ＮＡＣＫ判定部２４で生成して送信装置１へ返信する。
【０１００】
これにより、送信装置１は、再送制御部１６にて、上記確認応答信号がどのアンテナ系列Tx#iのどのプロセスに対する返信（本例では、プロセス「４」に対する返信）かを識別することができ、プロセス「５」を誤再送することなく、プロセス「４」を主アンテナ系列Tx#2から正しく再送することが可能となる。
なお、本ケース２においても、伝送モード切替の発生後、ある程度時間（Ｔ）が経過すれば、送信装置１は、主アンテナ系列からのみプロセスを送信するが、Ｔ時間経過後、送信装置２は、プロセス番号を省略してプロセスを送信することはできない。本ケース２においては、伝送モード切替の発生後、ある程度時間（Ｔ）が経過し、送信装置が主アンテナ系列からのみプロセスを送信するようになっても、ケース１とは異なりタイミング同期が取れていないので、プロセス番号は付加して確認応答を返信する必要がある。
【０１０１】
図１４に本ケース２での受信装置２の動作フローチャートを示す。
即ち、受信装置２は、伝送モード切替（ＭＩＭＯダイバーシチ伝送への変更）が発生したか否かを監視、判断し（ステップＳ６１）、伝送モード切替が発生していなければ（ステップＳ６１でｎｏであれば）、ＡＣＫ／ＮＡＣＫ判定部２４により、受信プロセス番号を付加した確認応答信号を生成して送信装置１へ返信する。また、当該確認応答信号がＮＡＣＫ信号の場合には、ＨＡＲＱ受信処理部２２にて、再送合成に備えて受信プロセスを保持しておく（ステップＳ６２）。
【０１０２】
一方、伝送モード切替が発生した場合（ステップＳ６１でｙｅｓの場合）、受信装置２は、プロセス振分部２６Ａにより、受信プロセスの分離（プロセス番号の識別）を行ない（ステップＳ６３）、Ｔ時間が経過したか否かに関わらず、受信プロセス番号を付加した確認応答信号を生成して送信装置１へ返信するとともに、当該確認応答信号がＮＡＣＫ信号の場合には、ＨＡＲＱ受信処理部２２にて、再送合成に備えて受信プロセスを保持しておく（ステップＳ６６）。
【０１０３】
このように、本ケース２では、伝送モード切替（ＭＩＭＯダイバーシチ伝送への変更）が発生して、各アンテナ系列Tx#i（Rx#i）間で各送信プロセスを識別する必要がある限り、確認応答信号に受信プロセス番号を付加して送信装置１へ返信するので、受信装置２との間で送信プロセスに対する確認応答信号の返信タイミングに関して同期がとれていない場合であっても、送信装置１において再送すべきプロセスを正しく識別することができ、再送プロセスの誤再送を確実に抑制することができる。
【０１０４】
〔Ｃ〕第３実施形態の説明
上述した第１及び第２実施形態では、プロセス番号の付加方法を各アンテナ系列間で競合しないように付加することにより、ＭＩＭＯ多重伝送から非ＭＩＭＯ多重伝送に切り替わった場合でも、正しいプロセスの合成、プロセスの誤再送を防止して、ストリームの伝送を途切れることなく継続できることについて示したが、本実施形態では、プロセス番号をアンテナ系列毎に独立して送信ストリームに付加する従来のＰＡＲＣやプリコーディングにおいても、ストリーム伝送を途切れさせずに通信を継続する手法について示す。
【０１０５】
本実施形態では、そもそも伝送モード切替発生の際に、主アンテナ系列以外のアンテナ系列にプロセスが残留することが原因で誤再送が生じることに着目した。そこで、誤再送を防止するために、ＭＩＭＯ多重伝送から例えばＭＩＭＯダイバーシチ伝送に切り替わる際に、主アンテナ系列以外のアンテナ系列に残留するプロセス（未送信プロセス）量に応じて当該切り替え（ストリーム数の減少制御）のタイミングを遅延する（例えば、残留プロセスの伝送が全て終わった後に、当該切り替えを実施する）。
【０１０６】
図１５に、この方法を適用した場合の送信装置１及び受信装置２間の通信の様子を示す。図５や図７、図１１では、ＭＩＭＯ多重伝送エリア３０２（図２６参照）から非ＭＩＭＯ多重伝送エリア（ＭＩＭＯダイバーシチエリア）３０１，３０３への受信装置２の移動が検出されると、送信装置１において即座にＭＩＭＯダイバーシチ伝送への切り替えを実施していた（符号５００参照）。
【０１０７】
これに対して、図１５では、符号６００で示すタイミングで上記移動（エリア変化）が検出されても、その時点ではアンテナ系列Tx#1に残留プロセス「２」が存在するため、送信装置１は、ＭＩＭＯ多重伝送を継続し、実際に、ＭＩＭＯ多重伝送からＭＩＭＯダイバーシチ伝送に切り替えるのは、残留プロセス「２」の伝送が終了した後（例えば符号７００で示すタイミング）である。これにより、第１実施形態や第２実施形態のように、特別なプロセス番号付加方法を適用しなくても、より簡易な制御で、モード切替発生時のストリーム伝送を途切れさせずに通信を継続することが可能となる。
【０１０８】
ただし、この方法では、残留プロセス「２」の再送が成功するまでＭＩＭＯダイバーシチに切り替えができないことになる。そこで、例えば図１６に示すように、ＭＩＭＯダイバーシチ伝送の切り替え閾値（無線品質に関する閾値Ａ）とは別に、プロセスが残留していてもＭＩＭＯダイバーシチに切り替えるための閾値（無線品質に関する閾値Ｂ＜Ａ）を設ける。そして、送信装置１は、受信装置（移動局）２の無線品質が閾値Ａと閾値Ｂとの間の場合、残留プロセスがあればＭＩＭＯ多重伝送を継続し、無線品質が閾値Ｂを下回れば、残留データの有無に関わらず、ＭＩＭＯダイバーシチ伝送に切り替える。
【０１０９】
なお、以上の機能は、例えば既述の再送制御部１６の一機能として実装することができるし、個別の制御部（伝送モード切替タイミング制御部）として実装することもできる。また、受信装置２の無線品質は、例えば、受信装置２で測定したＳＩＲやＣＱＩ等の受信品質情報を送信装置１にフィードバックする等の既知の方法を利用して送信装置１に把握させることができる（以下、同じ）。
【０１１０】
〔Ｄ〕第４実施形態の説明
ここでは、上述した第３実施形態と同様に、プロセス番号をアンテナ系列毎に独立して送信ストリームに付加する従来のＰＡＲＣにおいても、ストリーム伝送を途切れることなく継続する別の手法を示す。
本実施形態４においても、第３実施形態と同様に、伝送モード切替発生の際に主アンテナ系列以外のアンテナ系列にプロセスが残留していることが原因で誤再送が生じることに着目している。即ち、ＭＩＭＯ多重伝送から非ＭＩＭＯ多重伝送（ＭＩＭＯダイバーシチ伝送）へのモード切替の際、受信装置２の無線品質は切り替えの閾値（閾値Ａ）よりも大きいが、別の閾値（閾値Ｃ）よりも小さく（つまり、閾値Ｃ＞閾値Ａ＞閾値Ｂ）、かつ、主アンテナ系列以外のアンテナ系列に送信データ（プロセス）が無い場合、送信装置１は、無線品質が閾値Ａ以下になることを待つことなく、その時点以降にＭＩＭＯダイバーシチ伝送に切り替える。
【０１１１】
図１７に、上記閾値Ａ，Ｃの設定例を示す。また、図１８に、本例の方法を適用した場合の送信装置１及び受信装置２間の通信の様子を示す。
図１８では、ＭＩＭＯ多重伝送エリアから非ＭＩＭＯ多重伝送エリア（ＭＩＭＯダイバーシチエリア）への受信装置２の移動が検出（符号６００参照）された後、アンテナ系列Tx#1のプロセス「２」に対するＮＡＣＫ信号（点線矢印６１０参照）を送信装置１が受信したためプロセス「２」の再送が生じ、その再送プロセスに対するＡＣＫ信号（実線矢印６２０参照）が送信装置１に返信された直後に、アンテナ系列Tx#1の残留プロセスが全て送信されている様子を示している。送信装置１は、このように残留プロセスが無くなった時点以降で受信装置２の無線品質が閾値Ａと閾値Ｃとの間にあれば、符号７００で示すタイミングで、ＭＩＭＯダイバーシチ伝送に即座に切り替えることができる。
【０１１２】
なお、以上の機能も、例えば既述の再送制御部１６の一機能として実装することができるし、個別の制御部（伝送モード切替タイミング制御部）として実装することもできる。また、上述した閾値Ａ、閾値Ｂ、閾値Ｃは、閾値Ｃ＞閾値Ａ＞閾値Ｂの関係を満たす限り、同時に設定してもよい。
【０１１３】
＜付記＞
上記実施形態の一部又は全部は、以下の付記のように記載され得るが、以下には限られない。
【０１１４】
（付記１）
複数の送信アンテナを有する送信装置から受信装置へ複数のデータブロックをデータチャネルを介して伝送しうるＭＩＭＯ（Multi Input Multi Output）伝送における無線通信システムにおいて、
該送信装置は、
前記データチャネルと異なる制御チャネルにて、プロセス番号を該受信装置へ送信し、
該受信装置は、
ＭＩＭＯダイバーシチ伝送時に、受信した前記プロセス番号に基づき、受信した前記データブロックをＨＡＲＱ（Hybrid Automatic Repeat reQuest）処理する、ことを特徴とする、無線通信システムにおける伝送制御方法。
【０１１５】
（付記２）
複数の送信アンテナを有する送信装置から受信装置へ複数のデータブロックをデータチャネルを介して伝送しうるＭＩＭＯ（Multi Input Multi Output）伝送における無線通信システムにおいて、
該送信装置は、
前記データチャネルと異なる制御チャネルにて、プロセス番号を該受信装置へ送信し、
該受信装置は、
ＭＩＭＯダイバーシチ伝送時に、受信した前記プロセス番号に基づく、前記複数の送信アンテナ各々からのデータブロック間で競合しないようなプロセス番号でなく、受信した前記プロセス番号に基づいて、受信した前記データブロックをＨＡＲＱ（Hybrid Automatic Repeat reQuest）処理する、ことを特徴とする、無線通信システムにおける伝送制御方法。
【０１１６】
（付記３）
複数の送信アンテナを有する送信装置から受信装置へ複数のデータブロックをデータチャネルを介して伝送しうるＭＩＭＯ（Multi Input Multi Output）伝送における無線通信システムで前記データチャネルと異なる制御チャネルにて、プロセス番号を該送信装置から受信する前記受信装置において、
ＭＩＭＯダイバーシチ伝送時に、受信した前記プロセス番号に基づき、受信した前記データブロックをＨＡＲＱ（Hybrid Automatic Repeat reQuest）処理する、ことを特徴とする、受信装置。
【０１１７】
（付記４）
複数の送信アンテナを有する送信装置から受信装置へ複数のデータブロックをデータチャネルを介して伝送しうるＭＩＭＯ（Multi Input Multi Output）伝送における無線通信システムで前記データチャネルと異なる制御チャネルにて、プロセス番号を該送信装置から受信する前記受信装置において、
ＭＩＭＯダイバーシチ伝送時に、受信した前記プロセス番号に基づく、前記複数の送信アンテナ各々からのデータブロック間で競合しないようなプロセス番号でなく、受信した前記プロセス番号に基づいて、受信した前記データブロックをＨＡＲＱ（Hybrid Automatic Repeat reQuest）処理する、ことを特徴とする、受信装置。
【産業上の利用可能性】
【０１１８】
以上詳述したように、本発明によれば、無線通信システムにおいて、送信装置と受信装置との間の伝送ストリーム数が変化（減少）した場合でも、再送合成対象のデータブロックの整合性を維持して、通信を正常に継続することが可能となるので、無線通信技術分野において極めて有用である。
【符号の説明】
【０１１９】
１  送信装置（基地局）
１１  ストリーム分離部
１２  ＣＲＣ付加部
１３  符号化部
１４  ＨＡＲＱ送信処理部（データブロック識別情報付加手段）
１５  送信部
１６  再送制御部
１７，１７Ａ  プロセス番号付加部（制御手段：アンテナ識別子生成部、グループ別番号生成部）
２  受信装置（移動局）
２１  信号分離・合成部（受信手段）
２２  ＨＡＲＱ受信処理部（再送合成手段）
２３  ＣＲＣ演算部
２４  ＡＣＫ／ＮＡＣＫ判定部（再送要求送信手段）
２５  ストリーム合成部２５
２６，２６Ａ  プロセス番号振分部
Tx#1，Tx#2，…，Tx#n  送信アンテナ（アンテナ系列）
Rx#1，Rx#2，…，Rx#n  受信アンテナ（アンテナ系列）
ATT 送信アンテナ
ATR 受信アンテナ
【図１】
0005569640.tif 000002
【図２】
0005569640.tif 000003
【図３】
0005569640.tif 000004
【図４】
0005569640.tif 000005
【図５】
0005569640.tif 000006
【図６】
0005569640.tif 000007
【図７】
0005569640.tif 000008
【図８】
0005569640.tif 000009
【図９】
0005569640.tif 000010
【図１０】
0005569640.tif 000011
【図１１】
0005569640.tif 000012
【図１２】
0005569640.tif 000013
【図１３】
0005569640.tif 000014
【図１４】
0005569640.tif 000015
【図１５】
0005569640.tif 000016
【図１６】
0005569640.tif 000017
【図１７】
0005569640.tif 000018
【図１８】
0005569640.tif 000019
【図１９】
0005569640.tif 000020
【図２０】
0005569640.tif 000021
【図２１】
0005569640.tif 000022
【図２２】
0005569640.tif 000023
【図２３】
0005569640.tif 000024
【図２４】
0005569640.tif 000025
【図２５】
0005569640.tif 000026
【図２６】
0005569640.tif 000027
【図２７】
0005569640.tif 000028
【図２８】
0005569640.tif 000029
【図２９】
0005569640.tif 000030
【図３０】
0005569640.tif 000031
【図３１】
0005569640.tif 000032
【図３２】
0005569640.tif 000033